(57)【特許請求の範囲】
【請求項１】
正面視で、ベースを含み、前記ベースの頂端にはランプ支柱が固定的に設置され、前記ランプ支柱の頂端には道路を照明できる照明ライトが設置され、
前記ランプ支柱の中には除塵チャンバが設置され、前記除塵チャンバの中には空気内の粉塵顆粒を少なくできる除塵装置が設置され、前記除塵チャンバの頂壁の中には外部空間と連通している吸気チャンバが設置され、前記吸気チャンバの中には大気を設備の中に吸い込むことができる吸気装置が設置され、前記除塵チャンバと前記吸気チャンバとの間が空気入り管によって連通されており、前記除塵チャンバには空気放出管が外部空間と連通するように設置され、
前記除塵チャンバの底壁の中には動力チャンバが設置され、前記動力チャンバの底壁の中には転送チャンバが設置され、前記転送チャンバの底壁の中には転送かめが設置され、前記転送かめの底壁の中には大気粉塵を貯蔵できる粉塵貯蔵チャンバが設置され、前記転送チャンバの中には大気粉塵を含んだ溶液を前記粉塵貯蔵チャンバの中に転送できる転送装置が設置され、前記粉塵貯蔵チャンバの中には大気粉塵と溶液とを分離させることができる循環システムが設置され、
前記動力チャンバの中には設備を駆動して持続的に作動させることができる動力装置が設置されていることを特徴とする道路上の空気への汚染を下げられる街灯。
【請求項２】
前記ランプ支柱の頂端には太陽エネルギーを電気エネルギーに転化できる太陽電池板が設置されていることを特徴とする請求項１に記載の道路上の空気への汚染を下げられる街灯。
【請求項３】
前記動力装置は前記動力チャンバの底壁の中に設置された電動機を含み、前記動力チャンバの中には動力軸が設置され、前記動力軸の底端が前記電動機と動力が伝達できるように連結され、前記動力軸の頂端には前記除塵装置を回転連動させることができる動力ギヤが設置されていることを特徴とする請求項１に記載の道路上の空気への汚染を下げられる街灯。
【請求項４】
前記除塵装置は前記除塵チャンバの中に設置された発泡器を含み、前記発泡器が前記空気入り管の中に設置され、それによって大気をバブル状に分散させることができ、前記除塵チャンバの中には除塵軸が設置され、前記除塵軸の外壁には前記除塵チャンバの中に位置している混合棒が設置され、前記除塵軸の外壁には前記動力チャンバの中に位置しており、且つ前記動力ギヤと噛み合っている伝動ギヤが設置され、
前記吸気チャンバのうち前記除塵チャンバに近接している片側壁の中には変速チャンバが設置され、前記除塵軸の頂端には前記変速チャンバの中に位置しており、且つ前記吸気装置を回転連動させることができる内歯車が設置されていることを特徴とする請求項３に記載の道路上の空気への汚染を下げられる街灯。
【請求項５】
前記吸気装置は前記吸気チャンバの中に設置された吸気軸を含み、前記吸気軸の外壁には上下対称の吸気ファンが設置され、前記吸気軸の底端には前記変速チャンバの中に位置している太陽歯車が設置され、前記太陽歯車と前記内歯車との間には遊星歯車が伝動できるように設置されていることを特徴とする請求項４に記載の道路上の空気への汚染を下げられる街灯。
【請求項６】
前記転送装置は前記転送かめの中にスライドできるように設置されたピストンを含み、前記ピストンの頂端にはピストンロッドが前後対称的に設置され、前記転送チャンバの中には転送軸が前後対称的に設置され、前記転送軸のうち前記ピストンロッドに近接している一端には回転盤が設置され、前記回転盤のうち前記転送軸から離れている片側端壁と前記ピストンロッドとの間がコンロッドによってヒンジで連結され、前記転送軸のうち前記ピストンロッドから離れている一端には第一転送ギヤが設置され、
前記転送チャンバの中には伝動軸が設置され、前記伝動軸の頂端には前記動力チャンバの中に位置しており、且つ前記伝動ギヤと噛み合っている第二転送ギヤが設置され、前記伝動軸の底端には前記転送チャンバの中に位置しており、且つ前記第一転送ギヤと噛み合っている伝動ベベルギヤが設置され、
前記転送かめと前記粉塵貯蔵チャンバとの間は水排出管によって連通されており、前記転送かめと前記除塵チャンバとの間が水入り管によって連通されていることを特徴とする請求項５に記載の道路上の空気への汚染を下げられる街灯。
【請求項７】
前記循環システムは前記粉塵貯蔵チャンバの底壁の中に設置された電熱板を含み、前記粉塵貯蔵チャンバの中には大気粉塵をろ過できるフィルターが設置され、前記粉塵貯蔵チャンバの右壁には気化された溶液を凝縮できる凝縮器が設置され、
前記凝縮器と前記粉塵貯蔵チャンバとの間には循環気管が連通するように設置され、前記除塵軸の底端には前記粉塵貯蔵チャンバの中に位置している旋転ブロックが設置され、前記旋転ブロックの端壁には前記フィルターと接触して作動し合っている刷毛が設置されていることを特徴とする請求項６に記載の道路上の空気への汚染を下げられる街灯。
【発明の詳細な説明】
【技術分野】
【０００１】
本発明は照明分野に関わり、具体的には道路上の空気への汚染を下げられる街灯である。
【背景技術】
【０００２】
社会の発展につれて、自用車の保有台数が増えつつ、しかし車両は内燃機関エンジンを利用して駆動されるのであり、従って、道路で走っている過程に大量の排気ガスを生み出し、車両の排気ガスの中には大量の粉塵の顆粒物があり、例えばＰＭ２．５、空気へ深刻な汚染をもたらし、人の健康を脅かし、今まで、道路の両側にはいずれも照明用の街灯が取り付けられており、しかしその機能は単一であり、既存の道路の空気への汚染を下げる方法は水溶液を噴霧化して大気の中に噴射し、その方法は車両が道路に沿って走ることを要求し、車両の通常の前進に影響し、且つ道路が湿って滑るようになり、通行人の通行に影響し、また処理効果は限界があり、従って、本発明は通行人と車両の運転に影響しない道路上の空気への汚染を下げられる街灯をデザインすることを目指している。
【先行技術文献】
【特許文献】
【０００３】
【特許文献１】中国特許出願公開第１０７５０４４６０号明細書
【発明の概要】
【発明が解決しようとする課題】
【０００４】
技術上の問題：
伝統的な道路上の空気への汚染を下げる方法は車両が道路で走って水溶液を噴霧化して大気の中に噴射するのであり、道路が湿って滑るようになり、通行人の通常の通行に影響し、且つ処理効果は限界がある。
【課題を解決するための手段】
【０００５】
上記の問題を解決するために、本発明の実施例は道路上の空気への汚染を下げられる街灯をデザインした。本発明の実施例の道路上の空気への汚染を下げられる街灯は、ベースを含み、前記ベースの頂端にはランプ支柱が固定的に設置され、前記ランプ支柱の頂端には道路を照明できる照明ライトが設置され、前記ランプ支柱の中には除塵チャンバが設置され、前記除塵チャンバの中には空気内の粉塵顆粒を少なくできる除塵装置が設置され、前記除塵チャンバの頂壁の中には外部空間と連通している吸気チャンバが設置され、前記吸気チャンバの中には大気を設備の中に吸い込むことができる吸気装置が設置され、前記除塵チャンバと前記吸気チャンバとの間が空気入り管によって連通されており、それによって前記吸気装置によって吸い込まれた大気は前記除塵装置の中に入り、さらに浄化作業を行い、前記除塵チャンバには空気放出管が外部空間と連通するように設置され、それによって浄化された大気を設備から排出でき、前記除塵チャンバの底壁の中には動力チャンバが設置され、前記動力チャンバの底壁の中には転送チャンバが設置され、前記転送チャンバの底壁の中には転送かめが設置され、前記転送かめの底壁の中には大気粉塵を貯蔵できる粉塵貯蔵チャンバが設置され、前記転送チャンバの中には大気粉塵を含んだ溶液を前記粉塵貯蔵チャンバの中に転送できる転送装置が設置され、前記粉塵貯蔵チャンバの中には大気粉塵と溶液とを分離させることができる循環システムが設置され、それによって設備は持続的に作動することを保証でき、設備は空気を浄化する効率を高め、前記動力チャンバの中には設備を駆動して持続的に作動させることができる動力装置が設置されている。
【０００６】
好ましくは、前記ランプ支柱の頂端には太陽エネルギーを電気エネルギーに転化できる太陽電池板が設置されている。
【０００７】
好ましくは、前記動力装置は前記動力チャンバの底壁の中に設置された電動機を含み、前記動力チャンバの中には動力軸が設置され、前記動力軸の底端が前記電動機と動力が伝達できるように連結され、前記動力軸の頂端には前記除塵装置を回転連動させることができる動力ギヤが設置されている。
【０００８】
好ましくは、前記除塵装置は前記除塵チャンバの中に設置された発泡器を含み、前記発泡器が前記空気入り管の中に設置され、それによって大気をバブル状に分散させることができ、前記除塵チャンバの中には除塵軸が設置され、前記除塵軸の外壁には前記除塵チャンバの中に位置している混合棒が設置され、それによってバブル状の大気を広げ、空気の浄化効率を高め、前記除塵軸の外壁には前記動力チャンバの中に位置しており、且つ前記動力ギヤと噛み合っている伝動ギヤが設置され、それによって前記伝動ギヤは前記除塵軸によって前記混合棒を回転連動させることができ、前記吸気チャンバのうち前記除塵チャンバに近接している片側壁の中には変速チャンバが設置され、前記除塵軸の頂端には前記変速チャンバの中に位置しており、且つ前記吸気装置を回転連動させることができる内歯車が設置されている。
【０００９】
好ましくは、前記吸気装置は前記吸気チャンバの中に設置された吸気軸を含み、前記吸気軸の外壁には上下対称の吸気ファンが設置され、それによって空気を設備の中に吸い込むことができ、前記吸気軸の底端には前記変速チャンバの中に位置している太陽歯車が設置され、前記太陽歯車と前記内歯車との間には遊星歯車が伝動できるように設置され、それによって前記内歯車は前記遊星歯車と前記太陽歯車とによって前記吸気軸を回転連動させることができる。
【００１０】
好ましくは、前記転送装置は前記転送かめの中にスライドできるように設置されたピストンを含み、前記ピストンの頂端にはピストンロッドが前後対称的に設置され、前記転送チャンバの中には転送軸が前後対称的に設置され、前記転送軸のうち前記ピストンロッドに近接している一端には回転盤が設置され、前記回転盤のうち前記転送軸から離れている片側端壁と前記ピストンロッドとの間がコンロッドによってヒンジで連結され、前記転送軸のうち前記ピストンロッドから離れている一端には第一転送ギヤが設置され、それによって前記転送軸は前記回転盤と、前記コンロッドと、前記ピストンロッドとによって前記ピストンを上下にスライド連動させることができ、前記転送チャンバの中には伝動軸が設置され、前記伝動軸の頂端には前記動力チャンバの中に位置しており、且つ前記伝動ギヤと噛み合っている第二転送ギヤが設置され、前記伝動軸の底端には前記転送チャンバの中に位置しており、且つ前記第一転送ギヤと噛み合っている伝動ベベルギヤが設置され、それによって伝動ギヤは前記第二転送ギヤと、前記伝動軸と、前記伝動ベベルギヤと、前記第一転送ギヤとによって前記転送軸を回転連動させることができ、前記転送かめと前記粉塵貯蔵チャンバとの間は水排出管によって連通されており、前記転送かめと前記除塵チャンバとの間が水入り管によって連通されており、それによって前記除塵チャンバの中の大気粉塵を含んだ溶液を前記粉塵貯蔵チャンバの中に転送することができる。
【００１１】
好ましくは、前記循環システムは前記粉塵貯蔵チャンバの底壁の中に設置された電熱板を含み、それによって前記粉塵貯蔵チャンバの中に入った溶液を気化でき、大気粉塵と溶液とを分離させ、前記粉塵貯蔵チャンバの中には大気粉塵をろ過できるフィルターが設置され、前記粉塵貯蔵チャンバの右壁には気化された溶液を凝縮できる凝縮器が設置され、前記凝縮器と前記粉塵貯蔵チャンバとの間には循環気管が連通するように設置され、それによって分離した溶液を凝縮した後に前記除塵チャンバの中に入らせ、前記除塵軸の底端には前記粉塵貯蔵チャンバの中に位置している旋転ブロックが設置され、前記旋転ブロックの端壁には前記フィルターと接触して作動し合っている刷毛が設置され、それによって前記フィルターのろ過効果を保証できる。
【発明の効果】
【００１２】
本発明の有益な効果は：本発明は構成が簡単で、操作とメンテナンスが便利であり、道路上の一定範囲内の大気に持続的に空気浄化作業を行い、また運転用の道路を占用しなく、通行人の通行に影響しなく、また本設備の中の浄化用溶液は循環使用されることができ、資源を節約して大気を浄化するコストを下げ、設備の使用寿命を延ばし、従って、本設備はより高い使用と普及する価値がある。
【図面の簡単な説明】
【００１３】
説明しやすいために、本発明を下記の具体的な実施例及び附図をもって詳しく説明する。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の道路上の空気への汚染を下げられる街灯の全体構成概略図
【図２】図２は図１の中のＡのところの構成拡大概略図
【図３】図３は図１の中のＢのところの構成拡大概略図
【図４】図４は図２の中のＣ―Ｃ方向の構成概略図
【発明を実施するための形態】
【００１５】
本発明の道路上の空気への汚染を下げられる街灯は、ベース２３を含み、前記ベース２３の頂端にはランプ支柱１２が固定的に設置され、前記ランプ支柱１２の頂端には道路を照明できる照明ライト１３が設置され、前記ランプ支柱１２の中には除塵チャンバ１６が設置され、前記除塵チャンバ１６の中には空気内の粉塵顆粒を少なくできる除塵装置１０２が設置され、前記除塵チャンバ１６の頂壁の中には外部空間と連通している吸気チャンバ１４が設置され、前記吸気チャンバ１４の中には大気を設備の中に吸い込むことができる吸気装置１０３が設置され、前記除塵チャンバ１６と前記吸気チャンバ１４との間が空気入り管２６によって連通されており、それによって前記吸気装置１０３によって吸い込まれた大気は前記除塵装置１０２の中に入り、さらに浄化作業を行い、前記除塵チャンバ１６には空気放出管５２が外部空間と連通するように設置され、それによって浄化された大気を設備から排出でき、前記除塵チャンバ１６の底壁の中には動力チャンバ２９が設置され、前記動力チャンバ２９の底壁の中には転送チャンバ１９が設置され、前記転送チャンバ１９の底壁の中には転送かめ２０が設置され、前記転送かめ２０の底壁の中には大気粉塵を貯蔵できる粉塵貯蔵チャンバ２１が設置され、前記転送チャンバ２０の中には大気粉塵を含んだ溶液を前記粉塵貯蔵チャンバ２１の中に転送できる転送装置１０４が設置され、前記粉塵貯蔵チャンバ２１の中には大気粉塵と溶液とを分離させることができる循環システム１０５が設置され、それによって設備は持続的に作動することを保証でき、設備は空気を浄化する効率を高め、前記動力チャンバ２９の中には設備を駆動して持続的に作動させることができる動力装置１０１が設置されている。
【００１６】
有益なように、前記ランプ支柱１２の頂端には太陽エネルギーを電気エネルギーに転化できる太陽電池板１１が設置されている。
【００１７】
有益なように、前記動力装置１０１は前記動力チャンバ２９の底壁の中に設置された電動機１８を含み、前記動力チャンバ２９の中には動力軸２８が設置され、前記動力軸２８の底端が前記電動機１８と動力が伝達できるように連結され、前記動力軸２８の頂端には前記除塵装置１０２を回転連動させることができる動力ギヤ２７が設置されている。
【００１８】
有益なように、前記除塵装置１０２は前記除塵チャンバ１６の中に設置された発泡器２５を含み、前記発泡器２５が前記空気入り管２６の中に設置され、それによって大気をバブル状に分散させることができ、前記除塵チャンバ１６の中には除塵軸１７が設置され、前記除塵軸１７の外壁には前記除塵チャンバ１６の中に位置している混合棒２４が設置され、それによってバブル状の大気を広げ、空気の浄化効率を高め、前記除塵軸１７の外壁には前記動力チャンバ２９の中に位置しており、且つ前記動力ギヤ２７と噛み合っている伝動ギヤ４４が設置され、それによって前記伝動ギヤ４４は前記除塵軸１７によって前記混合棒２４を回転連動させることができ、前記吸気チャンバ１４のうち前記除塵チャンバ１６に近接している片側壁の中には変速チャンバ１５が設置され、前記除塵軸１７の頂端には前記変速チャンバ１５の中に位置しており、且つ前記吸気装置１０３を回転連動させることができる内歯車４８が設置されている。
【００１９】
有益なように、前記吸気装置１０３は前記吸気チャンバ１４の中に設置された吸気軸４６を含み、前記吸気軸４６の外壁には上下対称の吸気ファン４５が設置され、それによって空気を設備の中に吸い込むことができ、前記吸気軸４６の底端には前記変速チャンバ１５の中に位置している太陽歯車４９が設置され、前記太陽歯車４９と前記内歯車４８との間には遊星歯車４７が伝動できるように設置され、それによって前記内歯車４８は前記遊星歯車４７と前記太陽歯車４９とによって前記吸気軸４６を回転連動させることができる。
【００２０】
有益なように、前記転送装置１０４は前記転送かめ２０の中にスライドできるように設置されたピストン３６を含み、前記ピストン３６の頂端にはピストンロッド３７が前後対称的に設置され、前記転送チャンバ１９の中には転送軸４０が前後対称的に設置され、前記転送軸４０のうち前記ピストンロッド３７に近接している一端には回転盤３８が設置され、前記回転盤３８のうち前記転送軸４０から離れている片側端壁と前記ピストンロッド３７との間がコンロッド５１によってヒンジで連結され、前記転送軸４０のうち前記ピストンロッド３７から離れている一端には第一転送ギヤ３９が設置され、それによって前記転送軸４０は前記回転盤３８と、前記コンロッド５１と、前記ピストンロッド３７とによって前記ピストン３６を上下にスライド連動させることができ、前記転送チャンバ１９の中には伝動軸４２が設置され、前記伝動軸４２の頂端には前記動力チャンバ２９の中に位置しており、且つ前記伝動ギヤ４４と噛み合っている第二転送ギヤ４３が設置され、前記伝動軸４２の底端には前記転送チャンバ１９の中に位置しており、且つ前記第一転送ギヤ３９と噛み合っている伝動ベベルギヤ４１が設置され、それによって伝動ギヤ４４は前記第二転送ギヤ４３と、前記伝動軸４２と、前記伝動ベベルギヤ４１と、前記第一転送ギヤ３９とによって前記転送軸４０を回転連動させることができ、前記転送かめ２０と前記粉塵貯蔵チャンバ２１との間は水排出管３４によって連通されており、前記転送かめ２０と前記除塵チャンバ１６との間が水入り管３５によって連通されており、それによって前記除塵チャンバ１６の中の大気粉塵を含んだ溶液を前記粉塵貯蔵チャンバ２１の中に転送することができる。
【００２１】
有益なように、前記循環システム１０５は前記粉塵貯蔵チャンバ２１の底壁の中に設置された電熱板２２を含み、それによって前記粉塵貯蔵チャンバ２１の中に入った溶液を気化でき、大気粉塵と溶液とを分離させ、前記粉塵貯蔵チャンバ２１の中には大気粉塵をろ過できるフィルター３１が設置され、前記粉塵貯蔵チャンバ２１の右壁には気化された溶液を凝縮できる凝縮器５０が設置され、前記凝縮器５０と前記粉塵貯蔵チャンバ２１との間には循環気管３０が連通するように設置され、それによって分離した溶液を凝縮した後に前記除塵チャンバ１６の中に入らせ、前記除塵軸１７の底端には前記粉塵貯蔵チャンバ２１の中に位置している旋転ブロック３３が設置され、前記旋転ブロック３３の端壁には前記フィルター３１と接触して作動し合っている刷毛３２が設置され、それによって前記フィルター３１のろ過効果を保証できる。
【００２２】
下記に附図を合わせて本発明の道路上の空気への汚染を下げられる街灯の使用ステップを詳しく説明する：
【００２３】
本設備を使う時、電動機１８が作動し始めて動力軸２８によって動力ギヤ２７を回転連動させ、さらに動力ギヤ２７が伝動ギヤ４４と、除塵軸１７と、内歯車４８と、遊星歯車４７と、太陽歯車４９と、吸気軸４６とによって吸気ファン４５を回転連動させ、さらに空気を吸い込んで空気入り管２６と発泡器２５とを通して除塵チャンバ１６の中に送り込み、それと同時に除塵軸１７が混合棒２４を回転連動させ、空気と溶液とを十分に融合させ、空気と大気粉塵とを分離させ、それと同時に伝動ギヤ４４が第二転送ギヤ４３と、伝動軸４２と、伝動ベベルギヤ４１と、第一転送ギヤ３９と、転送軸４０とによって回転盤３８を回転連動させ、さらに回転盤３８がコンロッド５１とピストンロッド３７とによってピストン３６を上下にスライド連動させ、さらに大気粉塵を含んだ溶液を粉塵貯蔵チャンバ２１の中に送り込み、それと同時に電熱板２２が通電加熱し、溶液と大気粉塵とを分離させ、溶液は循環気管３０と凝縮器５０とによって除塵チャンバ１６の中に繰り返して入り、それと同時に、除塵軸１７は旋転ブロック３３によって刷毛３２を回転連動させ、それによって大気粉塵がフィルター３１の表面に付いてフィルター３１のろ過効果を下げることを回避できる。
【００２４】
本発明の有益な効果は：本発明は構成が簡単で、操作とメンテナンスが便利であり、道路上の一定範囲内の大気に持続的に空気浄化作業を行い、また運転用の道路を占用しなく、通行人の通行に影響しなく、また本設備の中の浄化用溶液は循環使用されることができ、資源を節約して大気を浄化するコストを下げ、設備の使用寿命を延ばし、従って、本設備はより高い使用と普及する価値がある。
【００２５】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【要約】
【課題】本発明は道路上の空気への汚染を下げられる街灯を開示した。
【解決手段】
ベースを含み、前記ベースの頂端にはランプ支柱が固定的に設置され、前記ランプ支柱の頂端には道路を照明できる照明ライトが設置され、前記ランプ支柱の中には除塵チャンバが設置され、前記除塵チャンバの中には空気内の粉塵顆粒を少なくできる除塵装置が設置され、前記除塵チャンバの頂壁の中には外部空間と連通している吸気チャンバが設置され、本発明は構成が簡単で、操作とメンテナンスが便利であり、道路上の一定範囲内の大気に持続的に空気浄化作業を行い、また運転用の道路を占用しなく、通行人の通行に影響しなく、また本設備の中の浄化用溶液は循環使用されることができ、資源を節約して大気を浄化するコストを下げ、設備の使用寿命を延ばし、従って、本設備はより高い使用と普及する価値がある。
【選択図】図１【図１】
0006718069.tif 000002
【図２】
0006718069.tif 000003
【図３】
0006718069.tif 000004
【図４】
0006718069.tif 000005